(57)【要約】【課題】通信量の増大を抑制し、受信したデータの不整合を回避することを目的とする。【解決手段】通信システムが、複数のゲートウェイ装置が並列に接続された通信経路を備える通信システムであって、複数の内の１つのゲートウェイ装置（第１のゲートウェイ装置）を使用して通信し、前記第１のゲートウェイ装置を使用した通信に異常が発生した場合に、前記第１のゲートウェイ装置を使用した通信を停止し、前記第１のゲートウェイ装置以外のゲートウェイ装置（第２のゲートウェイ装置）を使用して通信する。【選択図】図４
2011109317.tif 000002
【特許請求の範囲】
【請求項１】
複数のゲートウェイ装置が並列に接続された通信経路を備える通信システムであって、
複数の内の１つのゲートウェイ装置（第１のゲートウェイ装置）を使用して通信し、前記第１のゲートウェイ装置を使用した通信に異常が発生した場合に、前記第１のゲートウェイ装置を使用した通信を停止し、前記第１のゲートウェイ装置以外のゲートウェイ装置（第２のゲートウェイ装置）を使用して通信することを特徴とする通信システム。
【請求項２】
前記複数のゲートウェイ装置のデータ入力側の通信経路に設置され、データを出力するゲートウェイ装置を切り替えるゲートウェイ切替装置を具備し、
前記ゲートウェイ切替装置は、前記第１のゲートウェイ装置の複数のポートとの間の通信において前記第１のゲートウェイ装置の何れかのポートとの通信に異常が発生した場合に、データを前記第１のゲートウェイ装置に出力することを停止し、前記第２のゲートウェイ装置にデータを出力することを特徴とする請求項１に記載の通信システム。
【請求項３】
前記複数のゲートウェイ装置の内の１つは、通信に使用するゲートウェイ装置の切り替えを制御する切替制御機能付きゲートウェイ装置であり、
前記第１のゲートウェイ装置を使用した通信に異常が発生した場合に、当該第１のゲートウェイ装置は通信異常を切替制御機能付きゲートウェイ装置に通知するとともに稼動を停止し、切替制御機能付きゲートウェイ装置は、第１のゲートウェイ装置から通信異常が通知されると、前記第２のゲートウェイ装置に稼動させることを特徴とする請求項１に記載の通信システム。
【発明の詳細な説明】
【技術分野】
【０００１】
本発明は、通信システムに関する。
【背景技術】
【０００２】
通常、通信システムにおいて、プロトコルの異なるネットワーク同士を接続する場合には、その中継装置としてゲートウェイ装置が用いられる。例えば、下記特許文献１には、ゲートウェイ装置を用いた通信システムが開示されている。このような通信システムでは、信頼性／可用性を高めるために、端末とゲートウェイ装置とを接続する通信ケーブルが２重化されている。これにより、一方の通信ケーブルに何らかの異常が発生した場合でも、他方の通信ケーブルを経由して通信を継続することができる。しかし、通信ケーブルを２重化したとしても、ゲートウェイ装置に異常が発生してしまうと、通信を継続することができない。そして、このような問題の解消手段として、端末を複数台のゲートウェイに接続させることがおこなわれている。これにより、端末は、１つのゲートウェイ装置に異常が発生したとしても、他のゲートウェイ装置を経由して通信を継続することができる。
【先行技術文献】
【特許文献】
【０００３】
【特許文献１】特開２０００−５９３９８号公報
【発明の概要】
【発明が解決しようとする課題】
【０００４】
ところで、上記従来技術では、端末が、複数のゲートウェイ装置に接続され、各ゲートウェイ装置を介して通信相手と通信している。しかし、このような通信システムでは、端末が通信相手にデータを出力すると、通信相手は各ゲートウェイ装置を介して複数の通信ケーブルから同じデータを受信することになる。このように、上記従来技術では、同じデータがネットワーク上を流れるので、通信量が無駄に増大してしまっている。そして、上述したように、通信相手は、複数の通信ケーブルから同じデータを受信することになるが、全ての通信ケーブルから常に正しいデータが入力されるとは限らない。例えば、通信ケーブルに何らかの故障がある場合には、データに異常が発生して、各通信ケーブルを流れるデータ同士の不整合が生じる。すると、通信相手は、受信したデータの整合性を確保するための演算処理を実行しなければならないので、通信に遅れが発生してしまう。
【０００５】
本発明は、上述した事情に鑑みてなされたものであり、通信量の増大を抑制し、受信したデータの不整合を回避することを目的とする。
【課題を解決するための手段】
【０００６】
上記目的を達成するために、本発明では、通信システムに係る第１の解決手段として、複数のゲートウェイ装置が並列に接続された通信経路を備える通信システムであって、複数の内の１つのゲートウェイ装置（第１のゲートウェイ装置）を使用して通信し、前記第１のゲートウェイ装置を使用した通信に異常が発生した場合に、前記第１のゲートウェイ装置を使用した通信を停止し、前記第１のゲートウェイ装置以外のゲートウェイ装置（第２のゲートウェイ装置）を使用して通信するという手段を採用する。
【０００７】
本発明では、通信システムに係る第２の解決手段として、上記第１の解決手段において、前記複数のゲートウェイ装置のデータ入力側の通信経路に設置され、データを出力するゲートウェイ装置を切り替えるゲートウェイ切替装置を具備し、前記ゲートウェイ切替装置は、前記第１のゲートウェイ装置の複数のポートとの間の通信において前記第１のゲートウェイ装置の何れかのポートとの通信に異常が発生した場合に、データを前記第１のゲートウェイ装置に出力することを停止し、前記第２のゲートウェイ装置にデータを出力するという手段を採用する。
【０００８】
本発明では、通信システムに係る第３の解決手段として、上記第１の解決手段において、前記複数のゲートウェイ装置の内の１つは、通信に使用するゲートウェイ装置の切り替えを制御する切替制御機能付きゲートウェイ装置であり、前記第１のゲートウェイ装置を使用した通信に異常が発生した場合に、当該第１のゲートウェイ装置は通信異常を切替制御機能付きゲートウェイ装置に通知するとともに稼動を停止し、切替制御機能付きゲートウェイ装置は、第１のゲートウェイ装置から通信異常が通知されると、前記第２のゲートウェイ装置に稼動させるという手段を採用する。
【発明の効果】
【０００９】
本発明によれば、複数の内の第１のゲートウェイ装置を使用して通信し、第１のゲートウェイ装置を使用した通信に異常が発生した場合に、第２のゲートウェイ装置を使用して通信する。このように、本発明では、複数の内の１つのゲートウェイ装置を使用して通信するので、複数のゲートウェイ装置に同じデータが流れる場合と比較して、ネットワーク上の通信量の増大を抑制できる。また、本発明では、複数の通信経路を介して複数の同じデータが流れないので、受信側でのデータ同士の不整合を回避することができる。
【図面の簡単な説明】
【００１０】
【図１】本発明の第１実施形態に係る通信システムＡ１のシステム構成図である。
【図２】本発明の第１実施形態に係る通信システムＡ１の第１のゲートウェイ装置１の機能ブロック図である。
【図３】本発明の第１実施形態に係る通信システムＡ１の中央監視装置５の機能ブロック図である。
【図４】本発明の第１実施形態に係る通信システムＡ１の動作を示すシーケンス図である。
【図５】本発明の第２実施形態に係る通信システムＡ２の第１のゲートウェイ装置１の機能ブロック図である。
【図６】本発明の第２実施形態に係る通信システムＡ２の第２のゲートウェイ装置２の機能ブロック図である。
【図７】本発明の第２実施形態に係る通信システムＡ２の動作を示すシーケンス図である。
【発明を実施するための形態】
【００１１】
以下、図面を参照して、本発明の各実施形態について説明する。
〔第１実施形態〕                
第１実施形態に係る通信システムＡ１は、ガスタービンプラントシステムにおける通信を担うものである。この通信システムＡ１は、図１に示すように、第１のゲートウェイ装置１、第２のゲートウェイ装置２、第１のハブ３、第２のハブ４、中央監視装置５及び制御装置６から構成されている、
【００１２】
第１のゲートウェイ装置１は、中央監視装置５と制御装置６との通信を中継する中継装置であり、中央監視装置５及び制御装置６が送受信するデータのプロトコルを変換することで、中央監視装置５と制御装置６との通信を可能にする。この第１のゲートウェイ装置１は、図２に示すように、第１の通信Ｉ／Ｆ部１１、第２の通信Ｉ／Ｆ部１２及びプロトコル変換部１３を備えている。
【００１３】
第１の通信Ｉ／Ｆ部１１は、通信ケーブルを介して中央監視装置５に接続し、中央監視装置５との間で各種信号を送受信するものであり、第１のポート１１ａ及び第２のポート１１ｂを備えている。第１のポート１１ａ及び第２のポート１１ｂは、通信ケーブルを介して中央監視装置５と信号を送受信する。
第２の通信Ｉ／Ｆ部１２は、第１のハブ３及び第２のハブ４を介して制御装置６に接続し、制御装置６との間で各種信号を送受信する。
【００１４】
プロトコル変換部１３は、第１の通信Ｉ／Ｆ部１１が中央監視装置５から受信したデータのプロトコルを変換し、変換したデータを制御装置６に向けて第２の通信Ｉ／Ｆ部１２に出力させる。また、プロトコル変換部１３は、第２の通信Ｉ／Ｆ部１２が制御装置６から受信したデータのプロトコルを変換し、変換したデータを中央監視装置５に向けて第１の通信Ｉ／Ｆ部１１に出力させる。
【００１５】
第２のゲートウェイ装置２は、第１のゲートウェイ装置１（図２参照）と同様に、中央監視装置５と制御装置６との通信を中継する中継装置であり、第１の通信Ｉ／Ｆ部２１、第２の通信Ｉ／Ｆ部２２及びプロトコル変換部２３を備えている。そして、第１の通信Ｉ／Ｆ部２１は、第１のポート２１ａ及び第２のポート２１ｂを備えている。なお、第２のゲートウェイ装置２の各構成要素は、第１のゲートウェイ装置１の構成要素と機能が同一であるので、詳細な説明を省略する。
【００１６】
第１のハブ３及び第２のハブ４は、第１のゲートウェイ装置１及び第２のゲートウェイ装置２と制御装置６との通信を中継する中継装置である。
中央監視装置５は、デスクトップ型またはノート型のパーソナルコンピュータであり、ユーザの操作指示に応じてデータを制御装置６に出力する。この中央監視装置５は、図３に示すように、表示部５１、操作部５２、データ処理部５３及びゲートウェイ切替部５４を備える。
表示部５１は、ＣＲＴ（Cathode Ray Tube）ディスプレイまたは液晶ディスプレイであり、データ処理部５３から入力される画面データに基づいて各種画面を表示する。
操作部５２は、マウス等のポインティングデバイス及びキーボードから構成され、ユーザから受け付けた操作指示をデータ処理部５３に出力する。
【００１７】
データ処理部５３は、操作部５２が受け付けた操作指示に応じてデータを作成し、当該データを制御装置６に向けてゲートウェイ切替部５４に出力させる。また、データ処理部５３は、制御装置６の制御指示に基づいて、ガスタービン発電機の動作状態の警告を示す警告画面等の画面データを表示部５１に出力し、表示部５１に画面を表示させる。
ゲートウェイ切替部５４は、ゲートウェイ装置の通信状態に応じてデータを出力するゲートウェイ装置を切り替える。
なお、ゲートウェイ切替部５４は、第１実施形態におけるゲートウェイ切替装置である。
【００１８】
制御装置６は、内部に記憶された制御プログラム及び中央監視装置５から入力されるデータに基づいて、ガスタービン発電機（図示略）の動作を制御するものである。すなわち、制御装置６は、制御プログラム及び中央監視装置５からのデータに基づいて制御演算を行う制御機能と、中央監視装置５及びガスタービン発電機と通信を行う通信インタフェース機能等から構成されている。
【００１９】
次に、上記構成の第１実施形態に係る通信システムＡ１の第１のゲートウェイ装置１、第２のゲートウェイ装置２及び中央監視装置５の動作について、図４を参照して説明する。
まず、ガスタービン発電機を制御装置６に制御させようとするユーザは、操作部５２を操作することで操作指示を中央監視装置５に入力する。
【００２０】
中央監視装置５では、データ処理部５３が操作指示に応じてデータ（第１のデータ及び第２のデータ）を作成する。そして、中央監視装置５では、ゲートウェイ切替部５４が、第１のゲートウェイ装置１の第１のポート１１ａに第１のデータを出力し（ステップＳ１）、また第１のゲートウェイ装置１の第２のポート１１ｂに第２のデータを出力する（ステップＳ２）。
【００２１】
第１のゲートウェイ装置１では、第１のポート１１ａが、第１のデータを受信すると、第１の応答を中央監視装置５に出力する（ステップＳ３）。また、第２のポート１１ｂが、第２のデータを受信すると、第２の応答を中央監視装置５に出力する（ステップＳ４）。
さらに、第１のゲートウェイ装置１では、プロトコル変換部１３が第１のデータ及び第２のデータのプロトコルを変換し、変換したデータを制御装置６に向けて第２の通信Ｉ／Ｆ部１２に出力させる。その後、中央監視装置５及び第１のゲートウェイ装置１は、上記ステップＳ１〜４を繰り返す。
【００２２】
そして、第１のゲートウェイ装置１では、上記ステップＳ１〜４を実行している最中に、第１のポート１１ａが第１のデータの受信に失敗すると（ステップＳ５）、第２のゲートウェイ装置２でのみ通信が行われるようにするため、第２のポート１１ｂは、第２のデータを受信したとしても（ステップＳ６）、第２の応答を出力しない（ステップＳ７）。また、第１のゲートウェイ装置１は、制御装置６に向けた第１のデータ及び第２のデータの出力を第２の通信Ｉ／Ｆ部１２に停止させる（ステップＳ８）。なお、第１のゲートウェイ装置１がデータの受信に失敗する要因は、通信ケーブルの断線などである。
【００２３】
中央監視装置５では、ゲートウェイ切替部５４が、第１のゲートウェイ装置１からの第１の応答及び第２の応答を受信しないと、第１のデータ及び第２のデータを第１のゲートウェイ装置１に出力することを停止する。そして、ゲートウェイ切替部５４は、第１のデータを第２のゲートウェイ装置２の第１のポート２１ａに出力し（ステップＳ９）、また第２のデータを第２のゲートウェイ装置２の第２のポート２１ｂに出力する（ステップＳ１０）。
【００２４】
第２のゲートウェイ装置２では、第１のポート２１ａが、第１のデータを受信すると、第１の応答を中央監視装置５に出力する（ステップＳ１１）。また、第２のポート２１ｂが、第２のデータを受信すると、第２の応答を中央監視装置５に出力する（ステップＳ１２）。
【００２５】
そして、第２のゲートウェイ装置２では、プロトコル変換部２３が第１のデータ及び第２のデータのプロトコルを変換し、変換したデータを制御装置６に向けて第２の通信Ｉ／Ｆ部２２に出力させる。
その後、中央監視装置５及び第２のゲートウェイ装置２は、上記ステップＳ９〜１２を繰り返す。
【００２６】
以上のように、第１実施形態に係る通信システムＡ１では、中央監視装置５のゲートウェイ切替部５４が、第１のゲートウェイ装置１にデータを出力しているときに、第１のゲートウェイ装置１の何れかのポートとの通信に異常が発生すると、中央監視装置５がデータを出力するゲートウェイ装置の全てのポートを第２のゲートウェイ装置２に切り替え、それ以後第２のゲートウェイ装置２を使用して通信を継続する。
【００２７】
このように、通信システムＡ１では、第１のゲートウェイ装置１及び第２のゲートウェイ装置２のいずれかにデータを出力することで、２つのゲートウェイ装置を経由して制御装置６にデータが入力される場合と比較して、ネットワーク上の通信量の増大を抑制できる。また、通信システムＡ１では、制御装置６が、複数の通信経路を介して複数の同じデータを受信しないので、データ同士の不整合を回避することができる。
【００２８】
以上、本発明の実施形態について説明したが、本発明は上記第１実施形態に限定されることなく、例えば以下のような変形が考えられる。
（１）上記第１実施形態では、第１のゲートウェイ装置１及び第２のゲートウェイ装置２を備え、中央監視装置５が、第１のゲートウェイ装置１及び第２のゲートウェイ装置２のいずれかを通信に使用しているが、本発明はこれに限定されない。
例えば、通信システムＡ１が３つ以上のゲートウェイ装置を備える。そして、中央監視装置５のゲートウェイ切替部５４が、３つ以上のゲートウェイ装置のいずれかに切り替えるようにしてもよい。
【００２９】
〔第２実施形態〕
次に、第２実施形態に係る通信システムＡ２について、説明する。
通信システムＡ２は、上記第１実施形態に係る通信システムＡ１の第１のゲートウェイ装置１、第２のゲートウェイ装置２及び中央監視装置５の内部構成が異なる点において上記第１実施形態と相違する。よって、通信システムＡ２では、第1実施形態に係る通信システムＡ１と同一の構成要素には同一符号を付ける。また、通信システムＡ２の第１のゲートウェイ装置１、第２のゲートウェイ装置２及び中央監視装置５のみ詳細に説明する。
【００３０】
通信システムＡ２は、第１実施形態に係る通信システムＡ１（図１参照）と同様に、第１のゲートウェイ装置１、第２のゲートウェイ装置２、第１のハブ３、第２のハブ４、中央監視装置５及び制御装置６から構成されている。
第１のゲートウェイ装置１は、図５に示すように、第１の通信Ｉ／Ｆ部１１、第２の通信Ｉ／Ｆ部１２及びプロトコル変換／状態通知制御部１４を備え、プロトコル変換／状態通知制御部１４を備える点において上記第１実施形態の第１のゲートウェイ装置１と相違する。なお、第１の通信Ｉ／Ｆ部１１及び第２の通信Ｉ／Ｆ部１２は、第１実施形態と機能が同一であるので、説明を省略する。
【００３１】
プロトコル変換／状態通知制御部１４は、データのプロトコル変換を行い、さらに中央監視装置５との通信状態を第２のゲートウェイ装置２に通知するものである。プロトコル変換／状態通知制御部１４は、中央監視装置５から第１の通信Ｉ／Ｆ部１１が受信したデータのプロトコルを変換し、変換したデータを制御装置６に向けて第２の通信Ｉ／Ｆ部１２に出力させる。また、プロトコル変換／状態通知制御部１４は、制御装置６から第２の通信Ｉ／Ｆ部１２が受信したデータのプロトコルを変換し、変換したデータを中央監視装置５に向けて第１の通信Ｉ／Ｆ部１１に出力させる。さらに、プロトコル変換／状態通知制御部１４は、中央監視装置５との通信状態を検出し、当該通信状態を示す通信状態情報を第２のゲートウェイ装置２に向けて第２の通信Ｉ／Ｆ部１２に出力させる。なお、通信状態情報には、「通信正常」及び「通信異常」等を示す情報が含まれている。
【００３２】
第２のゲートウェイ装置２は、図６に示すように、第１の通信Ｉ／Ｆ部２１、第２の通信Ｉ／Ｆ部２２及びプロトコル変換／ゲートウェイ切替制御部２４を備え、プロトコル変換／ゲートウェイ切替制御部２４を備える点において上記第１実施形態の第２のゲートウェイ装置２と相違する。なお、第１の通信Ｉ／Ｆ部２１及び第２の通信Ｉ／Ｆ部２２は、第１実施形態と機能が同一であるので、説明を省略する。
【００３３】
プロトコル変換／ゲートウェイ切替制御部２４は、中央監視装置５から第１の通信Ｉ／Ｆ部２１が受信したデータのプロトコルを変換し、変換したデータを制御装置６に向けて第２の通信Ｉ／Ｆ部２２に出力させる。また、プロトコル変換／ゲートウェイ切替制御部２４は、制御装置６から第２の通信Ｉ／Ｆ部２２が受信したデータのプロトコルを変換し、変換したデータを中央監視装置５に向けて第１の通信Ｉ／Ｆ部２１に出力させる。さらに、プロトコル変換／ゲートウェイ切替制御部２４は、通信に使用するゲートウェイ装置を上記通信状態情報に基づいて切り替える。なお、第２のゲートウェイ装置２は、第２実施形態における切替制御機能付きゲートウェイ装置である。
【００３４】
中央監視装置５は、デスクトップ型またはノート型のパーソナルコンピュータであり、ユーザの操作指示に応じてデータを制御装置６に出力する。この中央監視装置５は、表示部５１、操作部５２、データ処理部５３及び通信I／F部５５を備え、通信I／F部５５を備える点において上記第１実施形態の第１の中央監視装置５と相違する。なお、表示部５１、操作部５２、データ処理部５３は、第１実施形態と機能が同一であるので、説明を省略する。
通信I／F部５５は、通信ケーブルを介して第１のゲートウェイ装置１及び第２のゲートウェイ装置２に接続し、第１のゲートウェイ装置１及び第２のゲートウェイ装置２との間で各種信号を送受信するものである。
【００３５】
次に、上記構成の第２実施形態に係る通信システムＡ２の第１のゲートウェイ装置１、第２のゲートウェイ装置２及び中央監視装置５の動作について、図７を参照して説明する。
まず、ガスタービン発電機を制御装置６に制御させようとするユーザは、操作部５２を操作することで操作指示を中央監視装置５に入力する。
【００３６】
中央監視装置５では、データ処理部５３が操作指示に応じてデータ（第１のデータ及び第２のデータ）を作成する。そして、通信I／F部５５は、第１のゲートウェイ装置１の第１のポート１１ａと第２のゲートウェイ装置２の第１のポート２１ａとに第１のデータを出力する（ステップＳ２１）。また、通信I／F部５５は、第１のゲートウェイ装置１の第２のポート１１ｂと第２のゲートウェイ装置２の第２のポート２１ｂとに第２のデータを出力する（ステップＳ２２）。
【００３７】
第１のゲートウェイ装置１では、第１のポート１１ａが、第１のデータを受信すると、第１の応答を中央監視装置５に出力する（ステップＳ２３）。また、第２のポート１１ｂが、第２のデータを受信すると、第２の応答を中央監視装置５に出力する（ステップＳ２４）。
【００３８】
第２のゲートウェイ装置２では、第１のポート２１ａが、第１のデータを受信すると、第１の応答を中央監視装置５に出力する（ステップＳ２５）。また、第２のポート２１ｂが、第２のデータを受信すると、第２の応答を中央監視装置５に出力する（ステップＳ２６）。
【００３９】
そして、第１のゲートウェイ装置１では、プロトコル変換／状態通知制御部１４が、中央監視装置５との通信状態を検出し、検出結果に基づいて通信が正常である場合に、「通信正常」の通信状態情報を第２のゲートウェイ装置２に向けて第２の通信Ｉ／Ｆ部１２に出力させる（ステップＳ２７）。また、プロトコル変換／状態通知制御部１４は、第１のデータ及び第２のデータのプロトコルを変換し、変換したデータを制御装置６に向けて第２の通信Ｉ／Ｆ部１２に出力させる（ステップＳ２８）。
【００４０】
そして、第２のゲートウェイ装置２では、プロトコル変換／ゲートウェイ切替制御部２４が、「通信正常」の通信状態情報を第２の通信Ｉ／Ｆ部２２が受信することで、第１のデータ及び第２のデータを受信しても、第１のデータ及び第２のデータを制御装置６に向けて第２の通信Ｉ／Ｆ部１２に出力させない（ステップＳ２９）。
その後、中央監視装置５、第１のゲートウェイ装置１及び第２のゲートウェイ装置２は、上記ステップＳ２１〜２９を繰り返す。
【００４１】
そして、第１のゲートウェイ装置１では、上記ステップＳ２１〜２９を実行している最中に、第１のポート１１ａが第１のデータの受信に失敗すると（ステップＳ３０）、プロトコル変換／状態通知制御部１４は、「通信異常」の通信状態情報を第２のゲートウェイ装置２に向けて第２の通信Ｉ／Ｆ部１２に出力させる（ステップＳ３１）。また、プロトコル変換／状態通知制御部１４は、制御装置６に向けた第１のデータ及び第２のデータの出力を第２の通信Ｉ／Ｆ部１２に停止させる（ステップＳ３２）。
【００４２】
そして、第２のゲートウェイ装置２では、プロトコル変換／ゲートウェイ切替制御部２４は、「通信異常」の通信状態情報を第２の通信Ｉ／Ｆ部２２が受信すると、第１のデータ及び第２のデータのプロトコルを変換し、変換したデータを制御装置６に向けて第２の通信Ｉ／Ｆ部２２に出力させる（ステップＳ３３）。
その後、第２のゲートウェイ装置２は、上記ステップＳ３３を繰り返す。
【００４３】
以上のように、第２実施形態に係る通信システムＡ２では、第１のゲートウェイ装置１は、中央監視装置５からのデータの受信に失敗すると、「通信異常」を第２のゲートウェイ装置２に通知するとともにデータを制御装置６に向けて出力することを停止する。そして、第２のゲートウェイ装置２は、第１のゲートウェイ装置１からの「通信異常」が通知されると制御装置６にデータを出力する。
【００４４】
このように、通信システムＡ２では、第１のゲートウェイ装置１及び第２のゲートウェイ装置２のいずれかが制御装置６に向けてデータを出力するので、２つゲートウェイ装置が制御装置６に向けてデータを入力する場合と比較して、ネットワーク上の通信量の増大を抑制できる。また、通信システムＡ２では、制御装置６が、複数の通信経路を介して複数の同じデータを受信しないので、データ同士の不整合を回避することができる。
【００４５】
以上、本発明の実施形態について説明したが、本発明は上記第２実施形態に限定されることなく、例えば以下のような変形が考えられる。
（１）上記第２実施形態では、第１のゲートウェイ装置１及び第２のゲートウェイ装置２を備え、第２のゲートウェイ装置２は、第１のゲートウェイ装置１から「通信異常」が通知されると、自身がゲートウェイ装置として稼動したが、本発明はこれに限定されない。
例えば、通信システムＡ２が３つ以上のゲートウェイ装置を備える。そして、第２のゲートウェイ装置２が、第１のゲートウェイ装置１から通信異常が通知されると、他のゲートウェイ装置に指示を送信し、他のゲートウェイ装置にゲートウェイ装置として稼動させるようにしてもよい。
【符号の説明】
【００４６】
Ａ１，Ａ２…通信システム、１…第１のゲートウェイ装置、２…第２のゲートウェイ装置、３…第１のハブ、４…第２のハブ、５…中央監視装置、６…制御装置、１１…第１の通信Ｉ／Ｆ部、１１ａ…第１のポート、１１ｂ…第２のポート、１２…第２の通信Ｉ／Ｆ部、１３…プロトコル変換部、１４…プロトコル変換／状態通知制御部、２１…第１の通信Ｉ／Ｆ部、２１ａ…第１のポート、２１ｂ…第２のポート、２２…第２の通信Ｉ／Ｆ部、２３…プロトコル変換部、２４…プロトコル変換／ゲートウェイ切替制御部、５１…表示部、５２…操作部、５３…データ処理部、５４…ゲートウェイ切替部、５５…通信I／F部
【図１】
2011109317.tif 000003
【図２】
2011109317.tif 000004
【図３】
2011109317.tif 000005
【図４】
2011109317.tif 000006
【図５】
2011109317.tif 000007
【図６】
2011109317.tif 000008
【図７】
2011109317.tif 000009